(57)【特許請求の範囲】
【請求項１】
互いに離間して配置された一対の支持支柱と、
前記一対の支持支柱のそれぞれに取り付けられた支持ブラケットと、
前記支持ブラケットを介して、前記一対の支持支柱の間に架設された物品載置部と、
前記支持支柱を跨いで配置され、前記支持ブラケットに取り付けられたオプション部材と、を備え、
前記支持ブラケットは、
前記支持支柱に対し、前記支持支柱と交差する交差方向の両側に突出した一対の突出部と、
前記一対の突出部のそれぞれに設けられ、前記支持支柱を跨いで配置された前記オプション部材が取り付けられる取付部と、を有する、ことを特徴とする什器。
【請求項２】
前記オプション部材は、
前記取付部に着脱自在に取り付けられる被取付部と、
前記被取付部が前記取付部に取り付けられた状態で、前記取付部よりも下方で、前記支持支柱に当接する当接部と、を有する、ことを特徴とする請求項１に記載の什器。
【請求項３】
前記取付部は、前記突出部を貫通して設けられた貫通孔を有し、
前記被取付部は、前記貫通孔を通り、前記突出部の裏側に掛止するフックを有する、ことを特徴とする請求項２に記載の什器。
【請求項４】
前記取付部は、前記突出部の根元部に設けられている、請求項１〜３のいずれか一項に記載の什器。
【請求項５】
前記一対の突出部は、一部材で形成されている、ことを特徴とする請求項１〜４のいずれか一項に記載の什器。
【請求項６】
前記一対の支持支柱を移動させる車輪部を有する、ことを特徴とする請求項１〜５のいずれか一項に記載の什器。
【発明の詳細な説明】
【技術分野】
【０００１】
本発明は、什器に関するものである。
【背景技術】
【０００２】
病院や介護施設等の公共施設やオフィス、店舗等の空間においては、物品を保管したり運搬するために物品を載置するための什器が設置されているのが一般的となっている。こうした什器の構成としては、互いに離間して配置された一対の支持支柱と、当該一対の支持支柱のそれぞれに取り付けられた支持ブラケットと、当該支持ブラケットを介して、一対の支持支柱の間に架設された物品載置部と、を備えるものが多く見られる（特許文献１〜３参照）。この構成によれば、簡易的な構成でありながら安定的に物品を載置可能な什器を提供することができる。
【先行技術文献】
【特許文献】
【０００３】
【特許文献１】特開２０００−１６６７１７号公報
【特許文献２】特開２０００−１７５７５１号公報
【特許文献３】特許第４４２７１１９号公報
【発明の概要】
【発明が解決しようとする課題】
【０００４】
ところで、支持支柱を構成するためには、強度上及び体裁（意匠）上で優れているという理由から管材を使用する場合が多い。しかしながら、この管材に、支持ブラケットの他にオプション部材を取り付けるための加工を施すためには、手加工の追加や専用の設備を別途用意する必要があるため、加工工数および加工コストが増大してしまうという問題があった。このため、支持支柱に対する加工は最小限に抑えつつ、オプション部材を取り付けることができる技術の提供が望まれている。
【０００５】
本発明は、上記問題点に鑑みてなされたものであり、支持支柱に対する加工は最小限に抑えつつ、オプション部材を取り付けることができる什器の提供を目的とする。
【課題を解決するための手段】
【０００６】
この発明に係る什器では、上記の課題を解決するために以下の構成を採用した。
この発明に係る什器は、互いに離間して配置された一対の支持支柱と、前記一対の支持支柱のそれぞれに取り付けられた支持ブラケットと、前記支持ブラケットを介して、前記一対の支持支柱の間に架設された物品載置部と、前記支持支柱を跨いで配置され、前記支持ブラケットに取り付けられたオプション部材と、を備え、前記支持ブラケットは、前記支持支柱に対し、前記支持支柱と交差する交差方向の両側に突出した一対の突出部と、前記一対の突出部のそれぞれに設けられ、前記支持支柱を跨いで配置された前記オプション部材が取り付けられる取付部と、を有する、ことを特徴とするものである。
この構成によれば、支持支柱と交差する交差方向の両側に突出した物品載置部を支持するための支持ブラケットの一対の突出部に対し、オプション部材が支持支柱を跨ぐようにして取り付けられる。このため、支持支柱に対しての加工を最小限に抑え、加工工数および加工コストを低減することができる。
【０００７】
また、この発明に係る什器において、前記オプション部材は、前記取付部に着脱自在に取り付けられる被取付部と、前記被取付部が前記取付部に取り付けられた状態で、前記取付部よりも下方で、前記支持支柱に当接する当接部と、を有する、ことを特徴とするものである。
この構成によれば、オプション部材の被取付部が、支持ブラケットの取付部に対して着脱自在に取り付けられるため、使用者の要望に応じてオプション部材を容易に着脱することができる。また、オプション部材は、被取付部が取付部に取り付けられた状態で、取付部よりも下方で、支持支柱に当接するため、オプション部材がふらつくことなく安定して支持される。
【０００８】
また、この発明に係る什器において、前記取付部は、前記突出部を貫通して設けられた貫通孔を有し、前記被取付部は、前記貫通孔を通り、前記突出部の裏側に掛止するフックを有する、ことを特徴とするものである。
この構成によれば、突出部を貫通して設けられた貫通孔にフックを挿入し、フックを突出部の裏側に掛止させることで、支持ブラケットに対してオプション部材を容易に取り付けることができる。また、フックの突出部の裏側の掛止を解除し、フックを貫通孔から引き抜くことで、支持ブラケットからオプション部材を容易に取り外すことができる。
【０００９】
また、この発明に係る什器において、前記取付部は、前記突出部の根元部に設けられている、ことを特徴とするものである。
この構成によれば、オプション部材の荷重が、支持支柱に近い、突出部の根元部にかかるため、支持ブラケットにかかる曲げモーメントが小さくなる。このため、支持ブラケットにある程度の重さを有するオプション部材を取り付けても、支持ブラケットが曲がることはない。
【００１０】
また、この発明に係る什器において、前記一対の突出部は、一部材で形成されている、ことを特徴とするものである。
この構成によれば、一対の突出部を別部材で形成した場合よりも、支持ブラケットの剛性を高めることができ、ある程度の重さを有するオプション部材を取り付けることができる。また、一対の突出部を一部材で形成することにより、支持ブラケットの加工工数および加工コストを低減することができる。
【００１１】
また、この発明に係る什器において、前記一対の支持支柱を移動させる車輪部を有する、ことを特徴とするものである。
この構成によれば、車輪部によって一対の支持支柱を移動させることができるため、物品載置部の位置を周囲の状況に応じて任意に変更することができる。
【発明の効果】
【００１２】
この発明によれば、支持支柱に対する加工は最小限に抑えつつ、オプション部材を取り付けることができる什器が得られる。
【図面の簡単な説明】
【００１３】
【図１】本発明の実施形態における什器１の斜視図である。
【図２】本発明の実施形態における什器１の正面図である。
【図３】本発明の実施形態における什器１の左側面図である。
【図４】本発明の実施形態における什器１の平面図である。
【図５】本発明の実施形態における支持ブラケット３０の平面図である。
【図６】本発明の実施形態における支持ブラケット３０の左側面図である。
【図７】図６のＡ−Ａ断面矢視図である。
【図８】本発明の実施形態におけるポケットトレイ５０ａの側面図である。
【図９】本発明の実施形態におけるポケットトレイ５０ａの背面図である。
【図１０】本発明の実施形態におけるグローブボックス掛け５０ｂの側面図である。
【図１１】本発明の実施形態における支持ブラケット３０にオプション部材５０を取り付ける様子を示す図である。
【図１２】本発明の実施形態における別実施形態における什器１Ａの斜視図である。
【発明を実施するための形態】
【００１４】
以下、本発明の実施形態について図面を参照して説明する。
【００１５】
図１は、本発明の実施形態における什器１の斜視図である。図２は、本発明の実施形態における什器１の正面図である。図３は、本発明の実施形態における什器１の左側面図である。図４は、本発明の実施形態における什器１の平面図である。なお、図２〜図４においては、支持ブラケット３０の視認性を向上させるため、物品載置部４０を二点鎖線で示している。
【００１６】
本実施形態の什器１は、例えば、オフィスや病院において、書類ファイルや薬瓶等の物品を載置して搬送する際に使用される。この什器１は、図１に示すように、車輪部１０と、一対の支持支柱２０と、支持ブラケット３０と、物品載置部４０と、オプション部材５０と、を有する。
【００１７】
車輪部１０は、支持支柱２０の下端に接続された脚部１１と、脚部１１に取り付けられたキャスタ１２と、キャスタ１２をロックするロック部１３と、を有する。脚部１１は、什器１の前後方向に延在している。キャスタ１２は、脚部１１の前後方向の両端部の下面に取り付けられている。ロック部１３は、ペダル操作によりキャスタ１２の回転をロック／ロック解除するものである。
【００１８】
このような車輪部１０によれば、キャスタ１２が床面に当接した状態で転動することにより、什器１が移動する。また、ロック部１３によりキャスタ１２をロックすることによって、什器１の移動が規制される。このように、什器１は、オフィスや病室等の周囲の状況に応じて、配置を任意に変更することができる。
【００１９】
一対の支持支柱２０は、互いに離間して配置されている。詳しくは、一対の支持支柱２０は、脚部１１が延びる前後方向と直交する左右方向において、互いに離間して配置されている。一対の支持支柱２０は、互いに平行に上下方向に延在している。支持支柱２０の下端は、脚部１１の前後方向の中央部に接続されている。支持支柱２０は、内部が空洞の管材から形成されている。支持支柱２０は、図４に示す平面視で、前後方向に長い扁平状に形成されている。
【００２０】
支持ブラケット３０は、一対の支持支柱２０のそれぞれに取り付けられている。詳しくは、支持ブラケット３０は、一対の支持支柱２０の互いに対向する内向き側面２１にそれぞれ取り付けられている。支持ブラケット３０は、図２及び図３に示すように、上下方向において、支持支柱２０の上段、中段、下段に取り付けられており、同一の高さに取り付けられた左右の支持ブラケット３０同士は、平面視矩形状の枠部材３１（図４参照）を介して連結されている。
【００２１】
物品載置部４０は、支持ブラケット３０を介して、一対の支持支柱２０の間に架設されている。詳しくは、物品載置部４０は、左右の支持ブラケット３０及び枠部材３１により形成された開口部３２に装着されることで、一対の支持支柱２０の間に架設されている。物品載置部４０は、平面視矩形状のトレイであり、開口部３２に挿入可能な凹部４１（図１参照）と、左右の支持ブラケット３０及び枠部材３１に支持される鍔部４２（図１参照）と、を有する。
【００２２】
オプション部材５０は、支持ブラケット３０の取付部３４（後述）を介して、支持支柱２０を跨いで取り付けられている。詳しくは、オプション部材５０は、支持ブラケット３０の取付部３４を介して、内向き側面２１とは反対の支持支柱２０の外向き側面２２を前後方向で跨いで取り付けられている。本実施形態のオプション部材５０は、中段の支持ブラケット３０に取り付けられたポケットトレイ５０ａと、上段の支持ブラケット３０に取り付けられたグローブボックス掛け５０ｂと、を含む。
【００２３】
図５は、本発明の実施形態における支持ブラケット３０の平面図である。図６は、本実施形態の支持ブラケット３０の左側面図である。図７は、図６のＡ−Ａ断面矢視図である。
支持ブラケット３０は、図５に示すように、支持支柱２０に対し、支持支柱２０と交差する前後方向（交差方向）に突出した一対の突出部３３と、一対の突出部３３のそれぞれに設けられた取付部３４と、を有する。
【００２４】
支持ブラケット３０は、支持支柱２０に取り付けられる第１フレーム３０ａと、物品載置部４０及びオプション部材５０を支持する第２フレーム３０ｂと、から構成されている。第１フレーム３０ａは、図５に示す平面視で略Ｕ字状に形成され、図７に示す第２フレーム３０ｂの外向き側面３０ｂ１から、支持支柱２０に向かって突出している。第１フレーム３０ａは、図５に示すように、第２フレーム３０ｂの前後方向の中央位置に溶接等で接合されている。
【００２５】
支持支柱２０と対向する第１フレーム３０ａの側壁には、図６に示すように、貫通孔３５が形成されている。貫通孔３５には、第１フレーム３０ａを支持支柱２０に固定するビス６０（図５参照）のネジ部が挿入される。なお、支持支柱２０の内向き側面２１には、ビス６０が螺合する図示しないネジ穴が形成されている。第１フレーム３０ａには、この貫通孔３５が前後方向において間隔をあけて２箇所形成されている。このため、支持ブラケット３０は、前後方向に間隔をあけた２箇所のビス止めにより、支持支柱２０に取り付けられる。
【００２６】
第２フレーム３０ｂは、図７に示す断面視で略Ｌ字状に形成され、上下方向に延在した側壁部３６と、側壁部３６の上端から外向き側面３０ｂ１側に屈曲した屈曲部３７と、を有する。側壁部３６には、図５に示すように、ビス６０が挿通される貫通孔３８が形成されている。貫通孔３８は、ビス６０のヘッド部よりも大きく形成されている。なお、第１フレーム３０ａに形成された貫通孔３５は、ビス６０のヘッド部よりも小さく形成されている。
【００２７】
この構成によれば、ビス６０が、第２フレーム３０ｂに形成された貫通孔３８を介して、第１フレーム３０ａに囲まれた空間に挿入可能となり、開口部３２に突出して物品載置部４０の装着を妨げることがなくなる（図４参照）。また、本実施形態では、図５に示すように、ビス６０と第１フレーム３０ａとの間に、スペーサ６１を介在させている。スペーサ６１は、ビス６０のヘッド部の端面を、貫通孔３８の近く（略面一）に位置させ、ビス６０の取り付け、取り外しを容易にさせる。
【００２８】
第１フレーム３０ａは、図７に示すように、第２フレーム３０ｂの側壁部３６と屈曲部３７との間の角部に対向する位置に形成された切欠き部３９を有する。切欠き部３９と、側壁部３６と、屈曲部３７によって囲まれた空間には、枠部材３１が配置される。枠部材３１は、例えば、端部同士を接合し、図５に示すように、矩形の環状に形成されたスチールロッドである。第２フレーム３０ｂの屈曲部３７の下面において、枠部材３１と第２フレーム３０ｂは、溶接されて固着されている。
【００２９】
支持ブラケット３０は、図６に示すように、上底７０が下底７１よりも長い略台形状に形成されている。支持ブラケット３０は、上底７０と下底７１の中点を通る軸が線対称軸となる略等脚台形状に形成されている。一対の突出部３３は、支持ブラケット３０の下底７１よりも前後方向外側の領域であって、略直角三角形状に形成されている。すなわち、一対の突出部３３は、第１フレーム３０ａ（支持支柱２０）に近い根元部３３ａの方が、第１フレーム３０ａ（支持支柱２０）に対して遠い先端部３３ｂよりも、上下方向の幅が大きく形成されている。
【００３０】
取付部３４は、一対の突出部３３の根元部３３ａにそれぞれ設けられている。ここで、根元部３３ａとは、前後方向において、支持支柱２０から突出部３３の先端部３３ｂまでの長さの３分の１の長さの領域である。取付部３４は、図７に示すように、突出部３３を貫通して設けられた貫通孔３４ａと、貫通孔３４ａに取り付けられたグロメット３４ｂと、を有する。貫通孔３４ａは、上下方向において、根元部３３ａの中間位置に形成されている。グロメット３４ｂは、略筒状に形成された樹脂材であり、貫通孔３４ａの内壁面を覆い、貫通孔３４ａの縁部に係合する。
【００３１】
図８は、本発明の実施形態におけるポケットトレイ５０ａの側面図である。図９は、本発明の実施形態におけるポケットトレイ５０ａの背面図である。
ポケットトレイ５０ａは、図８に示すように、取付部３４に着脱自在に取り付けられる被取付部５１と、被取付部５１が取付部３４に取り付けられた状態で、取付部３４よりも下方で、支持支柱２０に当接する当接部５２と、を有する。
【００３２】
被取付部５１及び当接部５２は、ポケットトレイ５０ａの背面に設けられている。被取付部５１は、先端にフック５５を有するスチールロッドである。被取付部５１は、図９に示すように、互いに離間して一対で配置されている。当接部５２は、一対の被取付部５１が接合されたスチール板である。当接部５２は、スチール板の四辺を折り曲げた略直方体の箱形状を有し、折り曲げた短辺の内側に沿って被取付部５１が接合されている。
【００３３】
ポケットトレイ５０ａの背面には、当接部５２を固定する固定部５３が接合されている。固定部５３は、ナット５３ａが複数（本実施形態では３個）接合されたスチール板である。ナット５３ａには、当接部５２を固定部５３に固定するビス５４が挿入される。当接部５２は、固定部５３を覆った状態で、３箇所のビス止めにより、ポケットトレイ５０ａの本体に取り付けられる。なお、当接部５２には、図示しない座ぐりが形成されており、ビス５４のヘッド部が当接部５２の板面から突出しないようになっている（図８参照）。
【００３４】
被取付部５１は、図８に示すように、上下方向に延在する鉛直部５１ａと、鉛直部５１ａの上端から斜め後方に延在する傾斜部５１ｂと、を有し、傾斜部５１ｂの上端にフック５５を有している。フック５５は、略Ｌ字状に形成されている。フック５５は、傾斜部５１ｂの上端から後方に向かって水平に延在する水平部５５ａと、水平部５５ａの後端から上方に延在する鉛直部５５ｂと、を有する。水平部５５ａと鉛直部５５ｂとが接続される角部５５ｃは、円弧状に湾曲している。
【００３５】
図１０は、本発明の実施形態におけるグローブボックス掛け５０ｂの側面図である。
グローブボックス掛け５０ｂは、上述したポケットトレイ５０ａと同様に、取付部３４に着脱自在に取り付けられる被取付部５１と、被取付部５１が取付部３４に取り付けられた状態で、取付部３４よりも下方で、支持支柱２０に当接する当接部５２と、を有する。
グローブボックス掛け５０ｂは、図１に示すように、全体がスチールロッドから形成されており、当接部５２もスチールロッドから形成されている点で、ポケットトレイ５０ａの当接部５２と異なるが、当接部５２の機能としては一致している。また、グローブボックス掛け５０ｂの被取付部５１の形状は、ポケットトレイ５０ａの被取付部５１の形状と同様であるため、その説明は割愛する。
【００３６】
続いて、上記構成の什器１の作用について、図１１を参照しつつ説明する。
図１１は、本発明の実施形態における支持ブラケット３０にオプション部材５０を取り付ける様子を示す図である。なお、図１１では、オプション部材５０としてポケットトレイ５０ａを図示しているが、グローブボックス掛け５０ｂでも同様に支持ブラケット３０に取り付けることができる。
【００３７】
先ず、図１１において二点鎖線で示すように、オプション部材５０を斜めにし、被取付部５１のフック５５の先端を、支持ブラケット３０の取付部３４の貫通孔３４ａに挿入する。被取付部５１は、傾斜部５１ｂを備えているため、例えば被取付部５１を直角に曲げた構成と比べて、オプション部材５０を斜めにする角度が小さく（浅く）ともフック５５の先端を貫通孔３４ａに挿入することができ、取り付け作業が容易になる。
【００３８】
フック５５の先端を貫通孔３４ａに挿入したら、フック５５を中心にオプション部材５０を下方に回動させる。オプション部材５０が下方に回動すると、フック５５の先端が上方に立ち上り、フック５５が支持ブラケット３０の突出部３３の裏側に掛止する。取付部３１は、貫通孔３４ａの内壁面を覆う樹脂製のグロメット３４ｂを備えているため、摩擦抵抗を減らしてフック５５を中心としたオプション部材５０の回動を容易にさせつつ、この回動によるフック５５の擦傷の発生を抑制することができる。
【００３９】
このように、本実施形態では、突出部３３を貫通して設けられた貫通孔３４ａにフック５５を挿入し、フック５５を突出部３３の裏側に掛止させることで、支持ブラケット３０に対してオプション部材５０を容易に取り付けることができる。また、フック５５の突出部３３の裏側の掛止を解除し、フック５５を貫通孔３４ａから引き抜くことで、支持ブラケット３０からオプション部材５０を容易に取り外すことができる。
【００４０】
この構成によれば、オプション部材５０の被取付部５１を、支持ブラケット３０の取付部３４に対して着脱自在に取り付けることができるため、使用者の要望に応じてオプション部材５０を着脱することができる。
また、図１１に示すように、被取付部５１を取付部３４に取り付けると、オプション部材５０の当接部５２が、取付部３４よりも下方で、支持支柱２０の外向き側面２２に当接する。このため、着脱自在なオプション部材５０をふらつかせることなく安定して支持することができる。
【００４１】
オプション部材５０は、図３に示すように、支持支柱２０と交差する前後方向の両側に突出した支持ブラケット３０の一対の突出部３３に対し、支持支柱２０を跨ぐようにして取り付けられる。取付部３４は、突出部３３の根元部３３ａに設けられているため、オプション部材５０の荷重が、支持支柱２０の近くにかかり、支持ブラケット３０にかかる曲げモーメントが小さくなる。このため、支持ブラケット３０にある程度の重さを有するオプション部材５０を取り付けても、支持ブラケット３０が曲がることはない。
【００４２】
本実施形態に係る什器１は、支持ブラケット３０にオプション部材５０の取付部３３を設けているため、支持支柱２０に対しての加工を最小限に抑え、加工工数および加工コストを低減することができる。
また、一対の突出部３３は、図６に示すように、第２フレーム３０ｂとして一部材で形成されているため、一対の突出部３３を別部材で形成した場合よりも、支持ブラケット３０の剛性を高めることができる。また、一対の突出部３３を一部材で形成することにより、支持ブラケット３０の加工工数および加工コストを低減することができる。
【００４３】
このように、上述の本実施形態によれば、互いに離間して配置された一対の支持支柱２０と、一対の支持支柱２０のそれぞれに取り付けられた支持ブラケット３０と、支持ブラケット３０を介して、一対の支持支柱２０の間に架設された物品載置部４０と、支持支柱２０を跨いで配置され、支持ブラケット３０に取り付けられたオプション部材５０と、を備え、支持ブラケット３０は、支持支柱２０に対し、支持支柱２０と交差する交差方向の両側に突出した一対の突出部３３と、一対の突出部３３のそれぞれに設けられ、支持支柱２０を跨いで配置されたオプション部材５０が取り付けられる取付部３４と、を有する、という構成を採用することによって、支持支柱２０に対する加工は最小限に抑えつつ、オプション部材５０を取り付けることができる什器１が得られる。
【００４４】
以上、図面を参照しながら本発明の好適な実施形態について説明したが、本発明は上記実施形態に限定されるものではない。上述した実施形態において示した各構成部材の諸形状や組み合わせ等は一例であって、本発明の主旨から逸脱しない範囲において設計要求等に基づき種々変更可能である。
【００４５】
図１２は、本発明の別実施形態における什器１Ａの斜視図である。
図１２に示す什器１Ａは、物品載置部４０として天板４０ａを有している。天板４０ａは、例えば、左右一対の支持ブラケット３０に対してビス止めされる。このように、物品載置部４０は、トレイに限定されるものではない。例えば、物品載置部４０は、略Ｖ字状に曲げたラックであってもよい。また、例えば、図４に示す開口部３２に複数のトレイを装着する構成であってもよい。
【００４６】
また、例えば、上記実施形態では、支持ブラケット３０の一対の突出部３３が、支持支柱２０に対し、支持支柱２０と直交する方向に突出した構成について説明したが、一対の突出部３３は、支持支柱２０に対し、支持支柱２０と交差する斜め方向に突出した構成であってもよい。一例としては、支持支柱２０が鉛直方向に対して斜めに延在しており、支持ブラケット３０が斜めの支持支柱２０に対して交差した水平方向に突出する構成であってもよい。
【００４７】
また、例えば、上記実施形態では、支持ブラケット３０の一対の突出部３３が一部材で形成される構成について説明したが、一対の突出部３３を別部材で形成する構成であってもよい。
【００４８】
また、例えば、上記実施形態では、一対の支持支柱２０を移動させる車輪部１０を備える構成について説明したが、車輪部１０が無い据え付け棚等の什器にも本発明を適用することができる。
【００４９】
また、例えば、上記実施形態では、オプション部材５０として、ポケットトレイ５０ａと、グローブボックス掛け５０ｂを例示したが、上述した被取付部５１を設ければ他のオプション部材（例えばごみ袋掛け等）を採用してもよい。
【符号の説明】
【００５０】
１  什器
１０  車輪部
２０  支持支柱
３０  支持ブラケット
３３  突出部
３３ａ  根元部
３４  取付部
３４ａ  貫通孔
４０  物品載置部
５０  オプション部材
５１  被取付部
５２  当接部
５５  フック
【図１】
0006541265.tif 000002
【図２】
0006541265.tif 000003
【図３】
0006541265.tif 000004
【図４】
0006541265.tif 000005
【図５】
0006541265.tif 000006
【図６】
0006541265.tif 000007
【図７】
0006541265.tif 000008
【図８】
0006541265.tif 000009
【図９】
0006541265.tif 000010
【図１０】
0006541265.tif 000011
【図１１】
0006541265.tif 000012
【図１２】
0006541265.tif 000013